(57)【要約】【技術課題】  現代の生活様式に合った仏壇及び購入者がそのデザインを自由に選択して購入できる機能を持った仏壇を提供する。【解決手段】  ３点セットの仏壇１を台輪３上に載置して上置仏壇に組み替えできるようにする。また、須弥壇４を取り外し自在に、欄干５を取り外し自在の透明体で作り、須弥壇４内の空間４ａを側板１５、後板１６の入子式ユニット１４となして須弥壇４内の空間４ａを任意のデザインに演出したり、舎利箱１２内に遺骨を入れて須弥壇４内に納めたり、礼膳１８をリバーシブル化して仏具に合わせて使い分けができるようにする。【選択図】        図  ４
2007061459.tif 000002
【特許請求の範囲】
【請求項１】
台輪上に下台を取り外し自在に載置し、この下台上に仏壇を取り外し自在に載置して成る３点セットの仏壇において、前記台輪上から下台を取り外したのち、この台輪上に前記仏壇を載せ替えることにより、上置仏壇として使用可能に構成して成る仏壇。
【請求項２】
前記台輪の上面に形成した係合手段に係合する被係合手段を下台の底面に形成すると共に、この下台に形成した被係合手段と同一構造の被係合手段を仏壇の底面に形成して、台輪側に形成した係合手段に仏壇側に形成した被係合手段を係合させるように構成して成る請求項１に記載の仏壇。
【請求項３】
須弥壇の欄干の一部又は全部を透明又は半透明体にて形成すると共に、この欄干を取り外し自在に構成して成る仏壇。
【請求項４】
前記欄干の一部又は全部は、ガラス又はアクリル樹脂等から成る透明体又は半透明体で形成して成る請求項３に記載の仏壇。
【請求項５】
仏壇本体の背後を開放し、この開放した開口部から、側板及び後板を一体化した入子状のユニットを組み付け自在に構成して成る仏壇。
【請求項６】
仏壇本体又は（及び）下台の扉の戸板を扉枠に対して差し替え自在に取り付けて成る仏壇。
【請求項７】
仏壇本体に組み付けられた礼膳をリバーシブルに形成して成る仏壇。
【請求項８】
須弥壇内に舎利箱を収納自在に組み入れて成る仏壇。
【請求項９】
須弥壇を取り外し自在に組み付けて成る仏壇。
【請求項１０】
前記須弥壇を複数に分割して成る請求項９に記載の仏壇。
【発明の詳細な説明】
【技術分野】
【０００１】
本発明は、現代の生活様式にマッチし、かつ機能性に富み、更に伝統的な様式美を備えた仏壇に関する。
【背景技術】
【０００２】
従来の伝統的な仏壇は、図１６に示すように、仏壇１、下台２、台輪３の３点セットか、台輪３上に直接仏壇１を載せた上置仏壇の２点セットで構成されていて、前記３点セットの場合、台輪３上に下台２を載置して固定するダボ等の係合手段と、下台２上に仏壇１を載置して固定する場合の係合手段は位置及び寸法が合わないために、下台２を外して台輪３上に仏壇１を直接載置して上置仏壇に組み替えることはできない。
このため、３点セットの仏壇を長年拝んできたが、大きな住宅から例えばコンパクトなマンションに住み替えたような場合に、前記３点セットのものでは大きすぎてこれを置くスペースがない場合、新たに上置仏壇を購入する必要があり、その家のシンボルとして代々使用され、愛着のある仏壇は廃棄せざるを得ないことになる。
【０００３】
本発明の第１の目的は、このような３点セットの仏壇において、下台２を外し、台輪３上に直接仏壇１を載置することにより、上置仏壇としても使用できるように、あらかじめ台輪３と下台２及び仏壇１の係合手段の規格を統一した仏壇を提供することである。
【０００４】
次に、図１６において、４は須弥壇、５はこの須弥壇４に結界として設けられた欄干であるが、従来の欄干５は木又は樹脂製のもので、比較的複雑な様式に形成されているため、須弥壇４の奥の方が見えにくく、暗くなるという問題があった。また、この欄干５があるために、須弥壇４の奥には広い空間があるにも拘わらず、納める位牌とか仏像は、小さめのものを選ぶ必要があった。このようなことから、最近の仏壇には、欄干を省略したものも見受けられるが、欄干５は前記したように結界の意味があるため、これを省略することに抵抗感のある人もいる。
本発明の第２の目的は、須弥壇の欄干が内部を透視するのを邪魔したり、暗くしたりせず、位牌や仏像を須弥壇内に納めたりする際には、一旦取り外すことができる欄干を組みつけた仏壇を提供することである。
【０００５】
次に、図１６において、伝統的な仏壇の場合は、木工技術を駆使して製作されており、須弥壇４内の空間４ａを形成する側板及び後板は、始めから作りつけとなっていて、この側板や後板に着色や絵画が施されていることはあっても、あとで交換などは出来ない。
しかし、須弥壇４内は最も宗教的な、神聖な空間であることから、宗派の特色を演出できる空間でなければならないが、既成の仏壇の場合は、宗派や個人の好みにより須弥壇４の空間４ａを演出できないという問題があった。
本発明の第３の目的は、宗派の特色を演出することができたり、仏壇１を使用する人のセンスあるいは故人の人柄や趣味等に配慮したデザインの空間４ａを須弥壇４の奥に演出できる仏壇を提供することである。
【０００６】
次に、図１６において、従来の仏壇１にはその正面に外扉６及び内扉８が取り付けられていて、この扉６、８にはこれも各種のデザインを施した扉板７、９が扉枠内に取り付けられているが、この扉板７、９のデザインの場合も、その装飾が宗派や個人によっては地味すぎたり、反対に華美すぎるという問題があった。また、この扉板７、９は損傷したり、汚れたりすることがあり、この場合に、手軽に損傷を修理したり、汚れを落として綺麗にすることができないといった問題があった。
本発明の第４の目的は、扉板のデザインを宗派や個人のセンスに応じて交換したり、破損や汚れた際には簡単に交換したり、綺麗にできる仏壇を提供することである。
【０００７】
次に、図１６において、従来の仏壇１には、仏具を載置する木製の礼膳１０が出し入れ自在に取り付けられていて、この礼膳１０を前方に引き出してこの上に仏具を載置するようになっている。
しかし、最近の仏具には、従来の唐金製のものだけではなく、陶器や漆器あるいはガラス製のものなど、素材、デザインともに多様化してきており、これら最近の仏具を載置したとき、従来の木製の礼膳１０ではデザイン的に違和感があり、馴染めないという問題があった。
本発明の第５の目的は、使用する仏具の素材やデザインにマッチさせて使い分けができる礼膳を組みつけた仏壇を提供することである。
【０００８】
次に、図１６において、従来の仏壇は、位牌や仏像と共に、遺骨や頭髪等を一緒に祭りたい場合に、このようなものを祭る場所はなく、通常は須弥壇４の奥の空間４ａ内に納めておく例が多い。このことは、ペットの遺骨などについても同様である。
本発明の第６の目的は、遺骨などを納めることができるように工夫した仏壇を提供することである。
【０００９】
次に、図１６において、従来の仏壇の場合、須弥壇４は始めから仏壇本体と一体に作りつけられているため、前記した欄干５の場合と同様に、須弥壇４上のスペースに合わせて位牌や仏像を選ぶ必要がある。しかし、この須弥壇４の奥の空間４ａは比較的広く、天井も高いことから、須弥壇４の高さに制限されずに位牌や仏像を選ぶことができれば、使用者にとっては満足することができる。
本発明の第７の目的は、須弥壇４の高さに制限されずに位牌や仏像の大きさを選んで須弥壇４の奥の空間４ａ内に納めることができる仏壇を提供することである。
【００１０】
ところで、ユニット化された仏壇として、特開２０００−００５０３９号公報には、各種宗派に対応し、設置する場所の周囲の家具と調和する外観を有するものまたは購入者の嗜好に合わせたものを購入者の選択により無駄なく合理的に作ることができるユニット仏壇として、ユニット仏壇１は家具調収容ユニット２と仏壇ユニット４を備え、家具調収容ユニット２は全体に家具調に仕上げてあり収納家具３と収容側体５を備え、収容側体５の背面側には背板が着脱可能に取り付け、仏壇ユニット４は側部４１と装飾部４２により構成され、仏壇ユニット４は収容側体５に背面側から収容され着脱可能に取り付けてあり、装飾部４２は伝統的な様式の仏壇を構成する部品で作られたものが掲載されている。
しかし、この仏壇は、家具と仏壇の組み合わせについてユニット化しただけで、仏壇自体についての新規な改良、提案はなされていない。
【００１１】
次に、実用新案登録第３１０４６５８号公報には、軽量で且つ住宅環境を選ばずに搬送が行えるのは勿論、仏壇本来の荘厳さを保つと共に組立時の手間を飛躍的に効率化できる組立式の仏壇として、天板３及び底板４、両側板５ａ，５ｂ、背板６によって、正面側が開口し且つ内部に仏具類８を収容するための空間を備えた箱形とし、さらに開口に開閉扉７を取り付けて本体１を形成し、両側板と背板と開閉扉７とは、各々が縦柱９ａ，９ｂ，９ｃ，９ｄを介して取付可能に形成してあり、各縦柱と両側板及び背板の各々の取付箇所は、一方の各部品の側部に、他方の各部品の側部に向かって突出する係止部材１７，１７を備えており、また他方の各部品の側部には、係止部材を嵌挿する凹部１９を設けており、さらに凹部内には、係止部材の爪１８，１８と係合する突起１６，１６を設けており、各縦柱及び両側板背板の各々の上側と下側は、天板３と底板４とに各々設けた窪みＳ，Ｒに嵌挿したものが掲載されている。
しかし、この公知例の仏壇は、組み立て式というだけで、前記した公知例と同様に仏壇自体についての新規な改良、提案はなされていない。
【発明の開示】
【課題を解決するための手段】
【００１２】
上記第１の目的を達成するため、請求項１に記載の発明においては、仏壇において、台輪上に下台を取り外し自在に載置し、この下台上に仏壇を取り外し自在に載置して成る３点セットの仏壇において、前記台輪上から下台を取り外したのち、この台輪上に前記仏壇を載せ替えることにより、上置仏壇として使用可能に構成して成ることを特徴とするものである。
この発明により、住み替え等をした際に便利である。
【００１３】
更に、上記第１の目的を達成するため、請求項２に記載の発明においては、請求項１に記載の仏壇において、前記台輪の上面に形成した係合手段に係合する被係合手段を下台の底面に形成すると共に、この下台に形成した被係合手段と同一構造の被係合手段を仏壇の底面に形成して、台輪側に形成した係合手段に仏壇側に形成した被係合手段を係合させるように構成して成ることを特徴とするものである。
この発明により、仏壇の組み替え時に何等手を加える必要がない。
【００１４】
更に、上記第２の目的を達成するため、請求項３に記載の発明においては、仏壇において、須弥壇の欄干の一部又は全部を透明又は半透明体にて形成すると共に、この欄干を取り外し自在に構成して成ることを特徴とするものである。
この発明により、須弥壇内を明るくできると共に、大きな仏像や位牌を須弥壇内に納めることができる。
【００１５】
更に、上記第２の目的を達成するため、請求項４に記載の発明においては、請求項３に記載の仏壇において、前記欄干の一部又は全部は、ガラス又はアクリル樹脂等から成る透明体又は半透明体で形成して成ることを特徴とするものである。
この発明により、須弥壇内を明るくできると共に、大きな仏像や位牌を須弥壇内に納めることができる。
【００１６】
更に、上記第３の目的を達成するため、請求項５に記載の発明においては、仏壇において、仏壇本体の背後を開放し、この開放した開口部から、側板及び後板を一体化した入子状のユニットを組み付け自在に構成して成ることを特徴とするものである。
この発明により、仏壇購入者の希望に沿った須弥壇内のデザイン化が可能である。
【００１７】
更に、上記第４の目的を達成するため、請求項６に記載の発明においては、仏壇において、仏壇本体又は（及び）下台の扉の戸板を扉枠に対して差し替え自在に取り付けて成ることを特徴とするものである。
この発明により、仏壇の外観を購入者の希望に沿ったデザインに変更できる。
【００１８】
更に、上記第５の目的を達成するため、請求項７に記載の発明においては、仏壇において、仏壇本体に組み付けられた礼膳をリバーシブルに形成して成ることを特徴とするものである。
この発明により、仏具のデザインや質感に合わせて礼膳の表面のデザインを取り替えることができる。
【００１９】
更に、上記第６の目的を達成するため、請求項８に記載の発明においては、仏壇において、須弥壇内に舎利箱を収納自在に組み入れて成ることを特徴とするものである。
この発明により、故人あるいはペットの遺骨や思い出の品を須弥壇内に納めておくことにより、毎日拝む気持ちの安らぎ感を更に高めることができる。
【００２０】
更に、上記第７の目的を達成するため、請求項９に記載の発明においては、仏壇において、須弥壇を取り外し自在に組み付けて成ることを特徴とするものである。
この発明により、須弥壇内を広く利用したり、大きな仏像や位牌を納めることができる。
【００２１】
更に、上記第７の目的を達成するため、請求項１０に記載の発明においては、請求項９に記載の仏壇において、前記須弥壇を複数に分割して成ることを特徴とするものである。
この発明により、須弥壇内を部分的に広くしたりすることができると共に、須弥壇を規格化して自由に組み合わせて利用できる。
【発明の効果】
【００２２】
本発明の効果は次のとおりである。
１．請求項１、２に記載の発明によると、３点セットの仏壇において、下台用の台輪を    そのまま上置仏壇用に組み替えができるため、別に仏壇用の台輪を用意したり、新た    に製作を依頼したりせずに上置仏壇として使用することができる。この結果、転居な    どにより３点セットの仏壇を置くスペースがない場合でも、長年拝み続けた仏壇をそ    のまま使用することができる。
２．請求項３、４に記載の発明によると、欄干を透明又は半透明体としたことにより、    須弥壇内を明るく、広々とした空間に演出できると共に、奥に位牌や仏像を納めると    きに、一旦取り外すことができるため、欄干が邪魔して大きめのものが納められない    といった問題がなくなる。
３．請求項５に記載の発明によると、須弥壇内の側板及び後板を入子式ユニットで交換    ができるため、宗派や使用者の嗜好に合ったデザインに須弥壇内の空間を演出できる    。
４．請求項６に記載の発明によると、扉板を交換自在としたことにより、宗派や使用者    の好み、あるいは仏壇が置かれた部屋にマッチしたデザインに扉を演出したりできる    と共に、損傷したり汚れた場合には、簡単に新品に差し替えたり、綺麗に汚れを落と    したりすることができる。
５．請求項７に記載の発明によると、礼膳がリバーシブルのため、この礼膳の裏、表の    材質やデザインを違うものにすることにより、仏具にマッチした面を上面として使用    できる。この結果、仏具の選択の自由度が増し、加えて礼膳と仏具のデザインの調和    を演出することができる。
６．請求項８に記載の発明によると、舎利箱内に故人の遺骨や、ペットの遺骨あるいは    遺品を納め、これを須弥壇内に納めることができる。この結果、故人に対する想い、    礼拝の心が高揚し、仏壇に掌を合わせることによって、心の安らぎを覚えることがで    きる。
７．請求項９、１０に記載の発明によると、須弥壇を取り外し自在に構成したことによ    り、大きめの位牌や仏像を納めるときは、この須弥壇を一旦取り外して納めることが    できる。あるいは、位牌の数が多くなったときは、中央部分の須弥壇だけを残し、他    の分割された須弥壇を取り外してこれを下段引き戸内に納めたりできる。この結果、    位牌や仏像を大きめにしたり、位牌の数が多くなっても対応できる。
【実施例】
【００２３】
以下、図１〜図１５に基づいて、請求項１〜１０に記載した本発明の実施例を詳細に説明する。
図１は扉を閉じた状態の下台及び仏壇の正面図であって、この仏壇１及び下台２は、輪台３との３点セットである。そして、輪台３の上面の４隅には係合手段としてのダボ３ａが設けられていて、このダボ３ａは、下台２の底面２ａの四隅に形成された係合孔２ｂにそれぞれ係合している。２ｃは下台２の上面、２ｄは前記ダボ３ａと同一位置に設けられた同一形状のダボであって、このダボ２ｄは、仏壇１の底面１ａに設けた係合孔１ｂに係合している。
この結果、仏壇１は、図２に示すように、前記台輪３のダボ３ａを係合孔１ｂに係合させることにより、上置仏壇として使用することができる。
【００２４】
図１において、下台２の扉２ｅと仏壇１の扉６とは同一のデザインで統一されており、図３に示すように、扉枠２ｆ、６ａには、表面がアルミ板で、裏が金乾漆で製作された扉板２ｇ、６ｂが上方から図３（Ｃ）（Ｄ）に示すようにスライドして差し込み自在に構成されていて、この扉板２ｇ、６ｂは図１あるいは図２のように扉２ｅ、６を閉じた状態及び開いた状態において、扉板２ｇ、６ｂのデザインがアルミ板面と金乾漆面に変化することでその仏壇１、下台２のデザインを宗派の伝統に合わせたり、使用者の嗜好に合わせることができる。
なお、扉板２ｇ、６ｂを扉枠２ｆ、６ａにセットする手段は任意である。
【００２５】
図３において、（Ａ）は扉枠２ｆ、６ａの正面図、（Ｂ）は裏面図、（Ｃ）はＡ−Ａ′線断面図、（Ｄ）はＢ−Ｂ′線断面図である。
図４は台輪３上にセットした上置仏壇１の正面図であって、この仏壇１の須弥壇４は図６に示すように、４ｂ、４ｃ、４ｄに３分割されていると共に、仏壇本体から取り外し自在であって、須弥壇４の奥の空間４ａ内に納める位牌及び仏像等の大きさにより、この須弥壇４ｂ、４ｃ、４ｄの一つ又は二つ又は全部を自由に取り外しすることができる。また、この須弥壇４ｂ、４ｃ、４ｄ内には図８に示す舎利箱１２を納める収納部１３が形成されていて、遺骨を納めた舎利箱１２をこの収納部１３内に納めることができる。
【００２６】
図４において、須弥壇４の両サイド（但し、右サイドのみ図示）に取り外し自在に置かれた欄干５の上下の縁５ａ、５ｂは木製で、間の部分は透明なアクリル樹脂板１５ｃが嵌めてあり、須弥壇４内の空間４ａを広く、明るくしている。
また、仏壇１の正面の欄間１ｃの奥には、図７に示すように、両サイドにアクリル樹脂棒１ｅを配した遮光格子１ｄが吊設してあり、照明ランプ１ｆ（図４、図１１参照）は、この遮光格子１ｄの奥の天井に取り付けられていることにより、前記アクリル樹脂棒１ｅが照明ランプ１ｆの光を受けて明るく縦に光り、須弥壇４内を独特の雰囲気の空間４ａに演出している。
【００２７】
図４、図９、図１０において、１ｈは須弥壇４の下に形成された引き戸１ｉ付の収納空間であって、この引き戸１ｉの戸板１ｊは表がアルミ、裏が無垢板となっている。
図１１〜図１３は、仏壇１において、須弥壇４の奥の空間４ａを演出する入子式の須弥壇ユニット１４の構成を示すもので、このユニット１４は、側板１５及び後板１６から成る平面コ字状を呈していて、仏壇１の背後に形成した開口部１７から、図１３に示すようにユニット１４を差し込み、図１１、図１２に示すように仏壇本体内にセットすることができ、この側板１５と後板１６の表面に描いたデザインを選択することにより、多種のものの中から購入者の好みで須弥壇４内の空間４ａを演出することができる。あるいは、宗派の特徴に合わせたデザインを演出することができる。
【００２８】
図２、図４、図９、図１１、図１３、図１４において、１８は、仏壇１の正面側において、出し入れ自在に組み込まれた礼膳であって、この礼膳１８は表面１８ａと裏面１８ｂとのデザイン材質が変えてあり、仏具のデザインに合わせて表・裏を選択し、利用が可能である。１８ｃは出し入れ用の手掛け穴を示す。
図１５は下台２の扉２ｅを開けた状態を示し、内部は棚板１９により上下３段に仕切られているが、この仕切りは任意である。
実施例は以上の各特徴を有し、これらの特徴をすべて包含する仏壇を製作するか、いくつかの特徴を仏壇に取り込むかは自由である。
【図面の簡単な説明】
【００２９】
【図１】本発明に係る仏壇の正面図
【図２】上置仏壇とした状態の説明図
【図３】扉の説明図であって、（Ａ）は正面図、（Ｂ）は背面図、（Ｃ）はＡ−Ａ′線断面図、（Ｄ）はＢ−Ｂ′線断面図
【図４】仏壇本体の正面図
【図５】欄干の説明図
【図６】須弥壇の説明図
【図７】照明格子の説明図
【図８】舎利箱の説明図
【図９】引き戸の説明図
【図１０】Ｃ−Ｃ′線断面図
【図１１】仏壇の縦断側面図
【図１２】仏壇の横断平面図
【図１３】入子式ユニットを仏壇の背後の開口部からセットする直前の説明図
【図１４】礼膳の説明図
【図１５】下台の扉を開いた状態の説明図
【図１６】従来の仏壇の説明図
【符号の説明】
【００３０】
１  仏壇
２  下台
３  輪台
４  須弥壇
５  欄干
６  扉
１４  ユニット
１５  側板
１６  後板
１７  開口部
１８  礼膳
【図１】
2007061459.tif 000003
【図２】
2007061459.tif 000004
【図３】
2007061459.tif 000005
【図４】
2007061459.tif 000006
【図５】
2007061459.tif 000007
【図６】
2007061459.tif 000008
【図７】
2007061459.tif 000009
【図８】
2007061459.tif 000010
【図９】
2007061459.tif 000011
【図１０】
2007061459.tif 000012
【図１１】
2007061459.tif 000013
【図１２】
2007061459.tif 000014
【図１３】
2007061459.tif 000015
【図１４】
2007061459.tif 000016
【図１５】
2007061459.tif 000017
【図１６】
2007061459.tif 000018